(57)【要約】【課題】通話終了後、その場で身嗜みを確認することができるインターホンを提供する。【解決手段】インターホン親機２は、壁面の取り付けられるベース１１と、電源部を含む制御基板１２と、ＬＣＤ（液晶表示器）制御用基板１３と、カバー１４と、図外のドアホン子器のカメラで撮影された来訪者画像を表示する液晶表示器を備えた表示部１５と、通話ボタン１６と、表示部１５の表面板であるマジックミラー１７と、化粧パネル１８とを備えている。表示部１５は、通話終了後にバックライトがオフとなり、表面板であるマジックミラー１７の内側が暗くなるので、鏡として作用する。このため、図外のドアホン子器を介して、通話終了後に、住戸人が来訪者と面会する場合、マジックミラー１７で身嗜みを確認することができる。【選択図】図１
2010081237.tif 000002
【特許請求の範囲】
【請求項１】
カメラで撮影された通話相手の画像を表示する表示部を備えたインターホンにおいて、
前記表示部の表面板をマジックミラーとしたことを特徴とするインターホン。
【発明の詳細な説明】
【技術分野】
【０００１】
本発明は、通話機能と映像表示機能を有するインターホンに関する。
【背景技術】
【０００２】
通話機能と映像表示機能とを一体化することにより、１枚の前面パネル構成としたインターホン親機が知られている（例えば、特許文献１）。このインターホン親機は、従来の通話部パネルと映像表示部パネルからなる２枚パネル構成の旧型インターホン親機を置換する際に、パネル１枚分の閉塞部材を用いる。この閉塞部材は、余分の壁穴を閉塞するとともに、壁内部に至る奥行きを有する物品収納部を設けている。物品収納部を開閉する扉には、鏡を設置することができるとしている。
【特許文献１】特開２００６−２８０００８号公報
【発明の開示】
【発明が解決しようとする課題】
【０００３】
しかしながら上記従来のインターホン親機においては、２枚パネル構成の旧型のインターホン親機を置換する場合には、物品収納部の扉に鏡を設置することができたが、新規にインターホンシステムを設置する場合には、前面パネル２枚分の壁穴を設けることは行われていない。このため、来訪者と面会するための身嗜み確認には、わざわざ鏡のある部屋に行かねばならないという問題点があった。
【０００４】
本発明はこのような従来の課題を解決するものであり、インターホンにて通話終了後、その場で身嗜みを確認することができるインターホンを提供することを目的とする。
【課題を解決するための手段】
【０００５】
本発明は上記目的を達成するために、カメラで撮影された通話相手の画像を表示する表示部を備えたインターホンにおいて、表示部の表面板をマジックミラーとする。
【発明の効果】
【０００６】
本発明は、通話相手と通話を終了した後に、表示部の表面が鏡となるので、鏡のある部屋へ行く手間を省き、その場で身嗜みを確認することができるという効果を奏する。
【発明を実施するための最良の形態】
【０００７】
次に図面を参照して、本発明の実施の形態を詳細に説明する。図１は、本発明に係るインターホンをインターホン親機に適用した実施例の分解斜視図、図２は、インターホンシステムの全体構成例を示す概略構成図、図３はドアホン子器の構成例を示すブロック図、図４はインターホン親機の構成例を示すブロック図、図５（ａ）は通話時における表示部の来訪者画像表示状態を示す図、図５（ｂ）は通話終了後の表示部のマジックミラー状態を示す図である。
【０００８】
図１において、インターホン親機２は、壁面の取り付けられるベース１１と、電源部を含む制御基板１２と、ＬＣＤ（液晶表示器）制御用基板１３と、カバー１４と、図外のドアホン子器のカメラで撮影された来訪者画像を表示する液晶表示器を備えた表示部１５と、通話ボタン１６と、表示部１５の表面板であるマジックミラー１７と、化粧パネル１８とを備えている。
【０００９】
マジックミラー１７は、ハーフミラーとも呼ばれ、入射した光の一部を反射させ、一部を透過させる部材である。マジックミラー１７は、ガラスあるいは合成樹脂の透明の基板またはシートの表面に、ニッケルやクロムなどの反射率の高い金属の薄膜を蒸着、メッキ等により形成したり、誘電体多層膜を形成することにより得られる。この薄膜の膜厚を反射率と透過率が両立する厚さとすることにより、マジックミラーとなる。
【００１０】
このインターホン親機２の通話中は、マジックミラー１７を透して、表示部１５に表示された通話相手の画像を見ることができる。通話終了後は、液晶表示器のバックライトがオフとなり、表示部１５の表面板であるマジックミラー１７の内側が暗くなるので、鏡として作用する。このため、図外のドアホン子器を介して、通話と来訪者の画像確認とのいずれか一方または両方を行った後に、住戸人が来訪者と面会する場合、マジックミラー１７で身嗜みを確認し、不都合があれば直して、来訪者の印象を良くすることができる。
【００１１】
図２は、本発明に係るインターホンをインターホン親機として用いたインターホンシステムの構成例を示すシステム構成図である。図２において、インターホンシステム１は、インターホン親機２と、インターホン親機２に接続されたドアホン子器３と、インターホン親機２に接続された副親機４とを備えている。
【００１２】
次に、図３のブロック図を参照して、ドアホン子器３の構成を説明する。ドアホン子器３は、来訪者画像を撮影して撮像信号を出力するカメラ部４１と、撮像信号を処理して画像信号を出力する映像処理部４２と、図示しない呼出スイッチを備える操作部４３と、ドアホン子器３全体を制御する主制御部４４と、インターホン親機２と接続する親機接続インタフェース部（以下インタフェース部をＩ／Ｆ部と略す）４５と、ドア外部の音声を入力して音声信号に変換するマイク部４６と、親機からの音声信号を音声として出力するスピーカ部４７と、音声信号の調整、分離、増幅等の処理を行う通話処理部４８と、を備えている。
【００１３】
来訪者が操作部４３の呼出スイッチを操作すると、主制御部４４は呼出信号を生成し、親機接続Ｉ／Ｆ４５を介してインターホン親機２へ呼出信号を送出する。
【００１４】
カメラ部４１は、ドア外部の来訪者の画像を撮像するものとなっている。カメラ部４１から出力された撮像信号は、映像処理部４２で画像信号に変換調整され、親機接続Ｉ／Ｆ部４５へ出力される。
【００１５】
親機接続Ｉ／Ｆ部４５は、映像処理部４２からの画像信号、通話処理部４８からの音声信号、及び主制御部４４からの呼出信号を多重化してインターホン親機２へ送信する。また、親機接続Ｉ／Ｆ部４５は、インターホン親機２から受信した音声信号を通話処理部４８へ出力する。
【００１６】
ドアホン子器３の通話時には、マイク部４６で音声を音声信号に変換して、通話処理部４８及び親機接続Ｉ／Ｆ部４５を介してインターホン親機２へ送信するとともに、インターホン親機２からの音声信号を通話処理部２５で増幅してスピーカ部４７から音声として出力する。
【００１７】
次に、図４のブロック図を参照してインターホン親機２の構成を説明する。インターホン親機２は、副親機４と制御信号及び音声信号を送受信する内線Ｉ／Ｆ部２１と、ドアホン子器３と制御信号及び音声信号を送受信するドアホン子器Ｉ／Ｆ部２３と、内線Ｉ／Ｆ部２１とドアホンＩ／Ｆ部２３との通話路を切り替える通話路切替部２２とを備えている。
【００１８】
また、インターホン親機２は、通話処理部２５と、音声を入力して音声信号に変換するマイク部２６と、音声信号を変換した音声を出力するスピーカ部２７と、ドアホン子器３が取得した画像を記憶する画像記憶部２８と、インターホン親機及びインターホンシステム全体を制御する主制御部２９と、操作部３０と、ドアホン子器からの来訪者画像を表示可能な表示部１５と、制御信号送受信部３３と、現在時刻の情報を保持する時計３４とを備えている。また、特に限定されないが本実施例では、主制御部２９は、ＣＰＵとプログラムＲＯＭと作業用ＲＡＭと入出力インタフェースとを備えたマイクロプロセッサで構成されている。
【００１９】
インターホン親機２は、通話相手に応じて通話路切替部２２により、内線Ｉ／Ｆ部２１またはドアホンＩ／Ｆ部２３を選択して、副親機４またはドアホン子器３と通話可能となっている。通話時には、マイク部２６が親機付近の音声を音声信号に変換し、通話路切替部２２で選択した通話相手へ音声信号を送信するとともに、通話相手からの音声信号を通話処理部２５で増幅して、スピーカ部２７から音声として出力する。
【００２０】
またインターホン親機２の前面には、図示しない複数のスイッチを備えた操作部３０と、液晶表示器などを用いた表示部１５が設けられ、主制御部２９に接続されている。ドアホン子器３からは、そのカメラ部４１が撮影したドアホン子器前面の来訪者画像の画像信号がドアホンＩ／Ｆ部２３を介して主制御部２９へ取り込まれ、主制御部２９が画像信号を表示信号に変換して表示部１５へ画像を表示できるようになっている。
【００２１】
表示部１５は、図１で説明したように、表面板にマジックミラー１７を用いている。ドアホン子器３との通話時には、図５（ａ）に示したように、表示部１５はドアホン子器３のカメラ部４１で撮影した来訪者画像を表示する。通話終了後、図５（ｂ）に示したように、表示部１５の液晶表示器のバックライトがオフとなり、マジックミラー１７の内部が暗くなるので、マジックミラー１７は鏡として作用し、住戸人の姿を映すことができる。このため、わざわざ鏡のある部屋へ行くこと無しに、通話終了後、その場で身嗜みを確認することができるという効果がある。
【００２２】
以上、好ましい実施例を説明したが、これは本発明を限定するものではない。実施例では、表示部に液晶表示器を用いたが、有機エレクトロルミネッセンスデバイス（有機ＥＬ）を表示器として用いることができる。有機ＥＬを用いた場合も通話終了後には、有機ＥＬをオフとして発光を停止させるので、表示部の表面板として用いたマジックミラーが鏡として作用することができる。
【図面の簡単な説明】
【００２３】
【図１】本発明に係るインターホンの実施例を示す分解斜視図である。
【図２】インターホンシステムの構成例を示すシステム図である。
【図３】ドアホン子器の実施例を示すブロック図である。
【図４】インターホン親機の実施例を示すブロック図である。
【図５】表示部の（ａ）通話時の来訪者画像の表示状態、（ｂ）通話終了後のマジックミラー状態を示す図である。
【符号の説明】
【００２４】
１  インターホンシステム
２  インターホン親機
３  ドアホン子器
４  副親機
１１  ベース
１２  制御基板
１３  ＬＣＤ制御用基板
１４  カバー
１５  表示部
１６  通話ボタン
１７  マジックミラー
１８  化粧パネル
【図１】
2010081237.tif 000003
【図２】
2010081237.tif 000004
【図３】
2010081237.tif 000005
【図４】
2010081237.tif 000006
【図５】
2010081237.tif 000007